(57)【要約】      （修正有）【課題】マスカラを簡単に睫毛に塗布でき、しかも、ブラシの先端部を目頭または目尻に近接させマスカラを容易に塗布できるマスカラ塗布用ブラシを提供する。【解決手段】ブラシ１６における多数のブラシ用繊維１６Ｂｉの端により金属製ワイヤ２２の回りに形成される塗布部が、その横断面において基端部の回りに形成され略扇形の輪郭を有する第１の塗布部１６Ｍと、第１の塗布部１６Ｍよりも基端部からさらに離隔されて形成され略扇形の輪郭を有し、扇形の弧が連なって形成される仮想の略円錐面の頂角βが約１０°以上４５°以下の範囲の値に設定されている第２の塗布部１６Ｔと、金属製ワイヤ２２を挟んで第１の塗布部１６Ｍおよび第２の塗布部１６Ｔに向かい合い右斜め下に延びる直線に沿った輪郭を有し、その輪郭の仮想の斜面の角度αが中心軸線に対し約３°以上１５°以下に設定されている第３の塗布部１６Ｓとを主な塗布部として構成されているもの。【選択図】図１
2019130172.tif 000002
【特許請求の範囲】
【請求項１】
マスカラを付着させる多数の繊維の端により芯線の基端部の回りに横断面において所定の中心角を有する略扇形の輪郭を有し、扇形の弧が連なって形成される仮想の面が前記芯線に沿って形成される第１の塗布部と、
前記第１の塗布部に連なり、前記芯線の基端部から離隔した位置で該芯線の回りに横断面において前記略扇形の輪郭を有し、該扇形の弧が連なって形成され所定の頂角を有する仮想の略円錐面が形成される第２の塗布部と、
前記芯線を挟んで前記第１の塗布部および前記第２の塗布部に向かい合い所定の傾斜角をもって前記芯線の基端部から先端部まで延びる直線に沿った輪郭を有する第３の塗布部と、
を含むマスカラ塗布用ブラシ。
【請求項２】
前記略扇形の中心角は、０°を超え９０°以下に設定され、前記略円錐面の頂角は、１０°以上４５°以下の範囲の値に設定され、前記直線の傾斜角は、３°以上１５°以下の範囲の値に設定されることを特徴とする請求項１記載のマスカラ塗布用ブラシ。
【請求項３】
請求項１または請求項２記載のマスカラ塗布用ブラシと、
前記マスカラ塗布用ブラシを支持するステムを有するキャップと、
前記マスカラ塗布用ブラシおよび前記キャップのステムが通過する開口部を有する首部と、該首部の開口部に連通しマスカラを収容する収容部とを備える容器本体と、
を具備して構成されるマスカラ塗布用ブラシを収容する収容容器。
【請求項４】
マスカラを付着させる多数の繊維の端により芯線の基端部の回りに横断面において所定の中心角を有する略扇形の輪郭を有し、該扇形の弧が連なって形成され所定の頂角を有する仮想の略円錐面が形成される第１の塗布部と、前記芯線を挟んで前記第１の塗布部に向かい合い所定の傾斜角をもって前記芯線の基端部から先端部まで延びる直線に沿った輪郭を有する第２の塗布部とを備えるマスカラ塗布用ブラシにおける該第１の塗布部の端部により上睫毛の根元を立ち上げながらマスカラを塗布し、前記第２の塗布部を動かしながら下睫毛にマスカラを塗布することを含むマスカラ塗布用ブラシの使用方法。
【発明の詳細な説明】
【技術分野】
【０００１】
本発明は、マスカラ塗布用ブラシ、マスカラ塗布用ブラシを収容する収容容器、および、マスカラ塗布用ブラシの使用方法に関する。
【背景技術】
【０００２】
マスカラを睫毛に塗布するためのブラシは、通常、取っ手部材に取り付けられたステムの先端部に固定されている。そのようなブラシは、例えば、特許文献１に示されるように、芯線としての２本の金属ワイヤ相互間に配された剛毛を、２本の金属ワイヤを捻ることにより、保持した構造を有するものである。マスカラを容易に睫毛に塗布するために三角形の横断面を形成するように３つの実質的に平らな切子面を有するブラシが提案されている（図１７参照）。
【先行技術文献】
【特許文献】
【０００３】
【特許文献１】特開２００７−２３６９７７号公報
【発明の概要】
【発明が解決しようとする課題】
【０００４】
しかしながら、上述の特許文献１における図１７に示されるように、平らな切子面から離隔したブラシの先端部は、円柱状に形成されているのでその先端部を使ってブラシの先端部を目頭または目尻に近接させマスカラを塗布することは容易ではない。また、上述のブラシの薄くなる直線部分（三角形の横断面の頂点を形成する輪郭が金属ワイヤに対し平行に連なる部分）を使ってマスカラを塗布する場合、目尻近傍の睫毛を掴むことができず、しかも、ブラシの他の部分によりマスカラが地肌に付着する虞もある。
【０００５】
以上の問題点を考慮し、本発明は、マスカラ塗布用ブラシ、マスカラ塗布用ブラシを収容する収容容器、および、マスカラ塗布用ブラシの使用方法であって、マスカラを簡単に睫毛に塗布することができ、しかも、ブラシの先端部を目頭または目尻に近接させマスカラを容易に塗布できるマスカラ塗布用ブラシ、マスカラ塗布用ブラシを収容する収容容器、および、マスカラ塗布用ブラシの使用方法を提供することを目的とする。
【課題を解決するための手段】
【０００６】
上述の目的を達成するために、本発明に係るマスカラ塗布用ブラシは、マスカラを付着させる多数の繊維の端により芯線の基端部の回りに横断面において所定の中心角を有する略扇形の輪郭を有し、扇形の弧が連なって形成される仮想の面が芯線に沿って形成される第１の塗布部と、第１の塗布部に連なり、芯線の基端部から離隔した位置で芯線の回りに横断面において略扇形の輪郭を有し、扇形の弧が連なって形成され所定の頂角を有する仮想の略円錐面が形成される第２の塗布部と、芯線を挟んで第１の塗布部および第２の塗布部に向かい合い所定の傾斜角をもって芯線の基端部から先端部まで延びる直線に沿った輪郭を有する第３の塗布部と、を含んでなる。略扇形の中心角は、０°を超え９０°以下に設定され、略円錐面の頂角は、１０°以上４５°以下の範囲の値に設定され、直線の傾斜角は、３°以上１５°以下の範囲の値に設定されてもよい。
【０００７】
また、本発明に係るマスカラ塗布用ブラシを収容する収容容器は、上述のマスカラ塗布用ブラシと、マスカラ塗布用ブラシを支持するステムを有するキャップと、マスカラ塗布用ブラシおよびキャップのステムが通過する開口部を有する首部と、首部の開口部に連通しマスカラを収容する収容部とを備える容器本体と、を備えて構成される。
【０００８】
さらに、本発明に係るマスカラ塗布用ブラシの使用方法は、マスカラを付着させる多数の繊維の端により芯線の基端部の回りに横断面において所定の中心角を有する略扇形の輪郭を有し、扇形の弧が連なって形成され所定の頂角を有する仮想の略円錐面が形成される第１の塗布部と、芯線を挟んで第１の塗布部に向かい合い所定の傾斜角をもって芯線の基端部から先端部まで延びる直線に沿った輪郭を有する第２の塗布部とを備えるマスカラ塗布用ブラシにおける第１の塗布部の端部により上睫毛の根元を立ち上げながらマスカラを塗布し、第２の塗布部を動かしながら下睫毛にマスカラを塗布することを含んでなる。
【発明の効果】
【０００９】
本発明に係るマスカラ塗布用ブラシ、マスカラ塗布用ブラシを収容する収容容器、および、マスカラ塗布用ブラシの使用方法によれば、第１の塗布部に連なり、芯線の基端部から離隔した位置で芯線の回りに横断面において略扇形の輪郭を有し、扇形の弧が連なって形成され所定の頂角を有する仮想の略円錐面が形成される第２の塗布部と、芯線を挟んで第１の塗布部および第２の塗布部に向かい合い所定の傾斜角をもって芯線の基端部から先端部まで延びる直線に沿った輪郭を有する第３の塗布部と、を含むのでマスカラを簡単に睫毛に塗布することができ、しかも、ブラシの先端部を目頭または目尻に近接させマスカラを容易に塗布できる。
【図面の簡単な説明】
【００１０】
【図１】本発明に係るマスカラ塗布用ブラシの一例の要部を拡大して示す図である。
【図２】図１に示される例における上面図である。
【図３】本発明に係るマスカラ塗布用ブラシの一例を備えるアプリケータの外観を示す図である。
【図４】本発明に係るマスカラ塗布用ブラシを収容する収容容器の一例の構成を示す断面図である。
【図５】（Ａ）および（Ｂ）は、図１に示されるマスカラ塗布用ブラシの使用方法の説明に供される図である。
【図６】（Ａ）および（Ｂ）は、図１に示されるマスカラ塗布用ブラシの使用方法の説明に供される図である。
【図７】（Ａ）および（Ｂ）は、図１に示されるマスカラ塗布用ブラシの使用方法の説明に供される図である。
【図８】（Ａ）および（Ｂ）は、図１に示されるマスカラ塗布用ブラシの使用方法の説明に供される図である。
【図９】（Ａ）および（Ｂ）は、図１に示されるマスカラ塗布用ブラシの使用方法の説明に供される図である。
【発明を実施するための形態】
【００１１】
図３は、本発明に係るマスカラ塗布用ブラシの一例を備えるアプリケータの外観を示す。アプリケータ１０は、マスカラＭＳ（図４参照）を睫毛に塗布するブラシ１６と、ブラシ１６が一端部に固定される樹脂製のステム１４と、ステム１４の他端に固定される樹脂製のインナーキャップ１２とを含んで構成されている。
【００１２】
アプリケータ１０は、図４に示される本発明に係るマスカラ塗布用ブラシを収容する収容容器の一例の内部に収容される。その収容容器は、所定量のマスカラＭＳが満たされ、アプリケータ１０のステム１４の一部およびブラシ１６全体が浸される収容部２０Ａを有する樹脂製の容器本体２０と、容器本体２０の首部２０Ｎに取り外し可能に連結され、その開口端を塞ぐ樹脂製のキャップ１８とを主な要素として含んで構成されている。
【００１３】
キャップ１８の内周部１８Ａにおける開口端は、容器本体２０の首部２０Ｎの雄ねじ部２０ＭＳにねじ込まれる雌ねじ部１８ＦＳを有している。また、キャップ１８の内周部１８Ａには、上述のアプリケータ１０のインナーキャップ１２が圧入されている。これにより、アプリケータ１０とキャップ１８とが一体とされる。また、容器本体２０の首部２０Ｎの内周部には、アプリケータ１０のブラシ１６が容器本体２０の首部２０Ｎから抜き出されるとき、ブラシ１６に付着したマスカラＭＳの一部を拭うワイパ２０Ｂが設けられている。
【００１４】
ブラシ１６は、例えば、芯線としての捻られた２本の金属製ワイヤ２２と、捻られた２本の金属製ワイヤ２２相互間に保持された多数のブラシ用繊維１６Ｂｉとから構成されている。２本の金属製ワイヤ２２の基端部は、ステム１４の一端の取付孔（不図示）に圧入され固定されている。ブラシ１６のブラシ用繊維１６Ｂｉは、例えば、ナイロン繊維、ポリエステル繊維、エラストマー繊維のうちのいずれかの繊維で、あるいは、それらの繊維のうちから選択され混合された混合繊維で作られている。ブラシ用繊維１６Ｂｉの端で形成される金属製ワイヤ２２の回りのブラシ１６のブランクの輪郭の直径は、例えば、約８ｍｍ以上１０ｍｍ以下の範囲内の直径に設定されている。
【００１５】
ブラシ１６における多数のブラシ用繊維１６Ｂｉの端により金属製ワイヤ２２の回りに形成される塗布部は、その横断面において金属製ワイヤ２２の基端部の回りに形成され略扇形の輪郭を有する第１の塗布部１６Ｍと、第１の塗布部１６Ｍよりも金属製ワイヤ２２の基端部からさらに離隔されて形成され略扇形の輪郭を有する第２の塗布部１６Ｔと、図１において金属製ワイヤ２２を挟んで第１の塗布部１６Ｍおよび第２の塗布部１６Ｔに向かい合い右斜め下に延びる直線に沿った輪郭を有する第３の塗布部１６Ｓとを主な塗布部として構成されている。
【００１６】
第１の塗布部１６Ｍの横断面の輪郭における扇形の弧は、金属製ワイヤ２２の中心軸線から所定の距離Ｄｂだけ離隔した位置に形成されている。図２に示されるように、その扇形の中心角θは、例えば、最大９０°以内に設定されている。その扇形の弧は、第１の塗布部１６Ｍにおける金属製ワイヤ２２の基端部に近接した下端から金属製ワイヤ２２の中心軸線に沿って所定距離、離隔した位置まで同様に金属製ワイヤ２２の中心軸線から所定の距離Ｄｂだけ離隔した位置に形成されている。その扇形の弧が連なって形成される仮想の面は、金属製ワイヤ２２の中心軸線に沿って形成されることとなる。
【００１７】
第２の塗布部１６Ｔの横断面における扇形の弧は、金属製ワイヤ２２の基端部から離隔するにつれて徐々に金属製ワイヤ２２の中心軸線から所定の距離Ｄｂよりも小なる距離だけ離隔した位置に形成されている。金属製ワイヤ２２の基端部から最も離隔した位置に形成される第２の塗布部１６Ｔの横断面における扇形の弧は、金属製ワイヤ２２の中心軸線から所定の距離Ｄａだけ離隔した位置に形成されている。その扇形の弧が連なって形成される仮想の略円錐面の頂角βは、例えば、好ましくは、約１０°以上４５°以下の範囲の値に設定されている。所望される頂角βは、例えば、所望されるブラシ１６のブランクの輪郭の直径と、第２の塗布部１６Ｔの先端から上述の第１の塗布部１６Ｍとの境界（以下、角部１６Ｃともいう）までの中心軸線に沿った所定の長さＬａとに基づいて決定される。このように頂角βが約１０°以上４５°以下の範囲の値に設定されることにより、マスカラＭＳを目頭に塗布し易くなるとともに、部分的に睫毛を上げたい箇所に第２の塗布部１６Ｔの先端をアプローチし易くなる。
【００１８】
第３の塗布部１６Ｓにおける多数のブラシ用繊維１６Ｂｉの端により形成される輪郭の仮想の斜面の角度αは、例えば、金属製ワイヤ２２の中心軸線に対し約３°以上１５°以下に設定されている。これにより、輪郭の仮想の斜面は、金属製ワイヤ２２を挟んで第１の塗布部１６Ｍおよび第２の塗布部１６Ｔに向かい合って細長く延びるように形成されることとなる。即ち、第３の塗布部１６Ｓの厚みは、第１の塗布部１６Ｍおよび第２の塗布部１６Ｔの厚み比して薄くなる。このように角度αが約３°以上１５°以下に設定されることにより、第３の塗布部１６Ｓの下睫毛へのアプローチがし易く、下睫毛および目尻の睫毛をキャッチし易くなる。また、その扇形の中心角θは、最大９０°以内の角度に設定されることにより、第３の塗布部１６Ｓを使って睫毛をとかし易くなる。また、ブラシ１６の厚みのある部分が扇型の輪郭に形成されることにより、上睫毛の根元に入り易くなり上睫毛を上げ易くなる。ブラシ１６に第３の塗布部１６Ｓ（薄い部分）が形成されるので更に睫毛の根元にアプローチし易くなり、上睫毛の根元から上睫毛を上げ易くなる。第３の塗布部１６Ｓ（薄い部分）は、下睫毛にマスカラＭＳを塗布し易く、マスカラＭＳがブラシ１６の他の部分により地肌に付き辛くなる。
【００１９】
さらに、ブラシ１６の横断面における扇形の輪郭における第３の塗布部１６Ｓに隣接した扇の半径に対応する部分には、それぞれ、多数のブラシ用繊維１６Ｂｉの端により形成される第４の塗布部１６ＲＡおよび第５の塗布部１６ＲＢが形成されている。
【００２０】
斯かる構成において、本発明に係るマスカラ塗布用ブラシの使用方法の一例においては、図５（Ａ）および（Ｂ）に示されるように、先ず、マスカラＭＳが上睫毛ＵＥＬに塗布される場合、ブラシ１６の第２の塗布部１６Ｔを浮かし、角部１６Ｃを上睫毛の根元にしっかり当てながら、上睫毛をその根元から立ち上げながらマスカラＭＳが塗布される。上睫毛ＵＥＬについての他の使用方法としては、例えば、図６（Ａ）および（Ｂ）に示されるように、第２の塗布部１６Ｔの毛丈の短い部分を上睫毛の根元に当て、上睫毛を持ち上げ、ブラシ１６を回転させ、上睫毛をとかしながらマスカラＭＳが塗布される。
【００２１】
次に、図７（Ａ）および（Ｂ）に示されるように、マスカラＭＳが下睫毛ＬＥＬに塗布される場合、ブラシ１６の第３の塗布部１６Ｓにおける毛丈の短い部分が横にされ、その短い部分を左右に動かしながら下睫毛にマスカラＭＳが塗布される。
【００２２】
続いて、図８（Ａ）および（Ｂ）に示されるように、マスカラＭＳが目頭近傍の睫毛に塗布される場合、ブラシ１６の第２の塗布部１６Ｔが目頭近傍の睫毛に当てられ、マスカラＭＳが塗布される。
【００２３】
続いて、図９（Ａ）および（Ｂ）に示されるように、マスカラＭＳが目尻近傍の睫毛に塗布される場合、ブラシ１６の第２の塗布部１６Ｔが目尻近傍の睫毛に当てられ、マスカラＭＳが塗布される。
【００２４】
従って、左右非対称のブラシ１６により、それぞれの形状で異なる使用感と仕上がりを演出でき、ブラシ１６の各部位によりマスカラＭＳの付着量（バルク）が異なるので好みに合わせた仕上がりを実現できる。ブラシ１６において、第３の塗布部１６Ｓおよび第２の塗布部１６Ｔによってブラシ１６を部分的に薄くし、テーパー部の角度を変化させることで、下睫毛や細部（細かな毛、目尻・目頭・まつ毛の根元）へのマスカラＭＳの塗布が可能となる。螺旋状に形成されるブラシ１６への睫毛のからみ付きを軽減しながら睫毛を扇型に延ばしていくので重ね塗りでも綺麗に仕上げられる。
【符号の説明】
【００２５】
１０    アプリケータ
１６    ブラシ
１６Ｍ    第１の塗布部
１６Ｔ    第２の塗布部
１６Ｓ    第３の塗布部
１６ＲＡ    第４の塗布部
１６ＲＢ    第５の塗布部
１８    キャップ
２０    容器本体
ＭＳ    マスカラ
【図１】
2019130172.tif 000003
【図２】
2019130172.tif 000004
【図３】
2019130172.tif 000005
【図４】
2019130172.tif 000006
【図５】
2019130172.tif 000007
【図６】
2019130172.tif 000008
【図７】
2019130172.tif 000009
【図８】
2019130172.tif 000010
【図９】
2019130172.tif 000011